(57)【要約】【課題】過不足なく適切な強度で、傾くことなく正しい姿勢で電極を固定することができる電極固定金具を提供する。【解決手段】電極固定金具１１は、燃焼装置に固定される固定部１５と、固定部１５の端部に設けられ、碍子ベース部１２ａを押さえる電極押さえ部１６を有して構成され、電極押さえ部１６は、固定部１５の端部から立ち上がる内側部１７と、碍子部１２ｂを挿通させる穴部１８を有して碍子ベース部１２ａの上面を押さえる上面部１９と、上面部１９の端部から垂下した外側部２０とを備え、上面部１９は、内側部１７と上面部１９の境界となる内角部２１および外側部２０と上面部１９の境界となる外角部２２よりも、上面部１９の略中心付近が高くなる湾曲形状とした。【選択図】図２
2018004204.tif 000002
【特許請求の範囲】
【請求項１】
直方体形状の碍子ベース部から突出した柱形状の碍子部と、該碍子部から突出したロッドを有した電極と、前記碍子ベース部を押さえて前記電極を燃焼装置に固定する電極固定金具であって、前記電極固定金具は、前記燃焼装置に固定される固定部と、前記固定部の端部に設けられ、前記碍子ベース部を押さえる電極押さえ部を有して構成され、前記電極押さえ部は、前記固定部の端部から立ち上がる内側部と、前記碍子部を挿通させる穴部を有して前記碍子ベース部の上面を押さえる上面部と、前記上面部の端部から垂下した外側部とを備え、前記上面部は、前記内側部と前記上面部の境界となる内角部および前記外側部と前記上面部の境界となる外角部よりも、前記上面部の略中心付近が高くなる湾曲形状としたことを特徴とする燃焼装置の電極固定金具。
【請求項２】
前記内側部と前記上面部の境界となる内角部の高さ位置が、前記外側部と前記上面部の境界となる外角部の高さ位置よりも高くなるように前記上面部を形成したことを特徴とする請求項１記載の燃焼装置の電極固定金具。
【請求項３】
前記固定部の下面から前記外角部内面の垂直距離を、前記碍子ベース部の高さ距離よりも小さくしたことを特徴とする請求項２記載の燃焼装置の電極固定金具。
【請求項４】
前記電極は隣接して二つ設けられ、前記電極固定金具は、前記固定部の両端のそれぞれに前記電極押さえ部が設けられ、一つの電極固定金具で前記二つの電極を燃焼装置に固定するようにしたことを特徴とする請求項３記載の燃焼装置の電極固定金具。
【発明の詳細な説明】
【技術分野】
【０００１】
本発明は、ファンヒータ等の燃焼装置のフレームロッドやスパークロッド等の電極を固定する電極固定金具に関するものである。
【背景技術】
【０００２】
従来より、この種の燃焼装置の電極固定金具においては、特許文献１に示されているように、隣接して配置された二つの電極を燃焼装置に固定する一つの電極固定金具があった。この電極固定金具は、二つの電極間の方向に並行な側面部を有した断面コの字状で、中央部の長手方向両端側で電極の碍子を上から押さえ、長手方向の中心位置を燃焼装置にネジ止めして固定されるものである。
【先行技術文献】
【特許文献】
【０００３】
【特許文献１】特開２００４−２７８９５１号公報
【発明の概要】
【発明が解決しようとする課題】
【０００４】
ところが、この従来の電極固定金具は、碍子の寸法のバラツキによって、電極の固定が不十分になったり、碍子が傾いて固定されることがあった。
【課題を解決するための手段】
【０００５】
そこで、本発明は上記課題を解決するため、直方体形状の碍子ベース部から突出した柱形状の碍子部と、該碍子部から突出したロッドを有した電極と、前記碍子ベース部を押さえて前記電極を燃焼装置に固定する電極固定金具であって、前記電極固定金具は、前記燃焼装置に固定される固定部と、前記固定部の端部に設けられ、前記碍子ベース部を押さえる電極押さえ部を有して構成され、前記電極押さえ部は、前記固定部の端部から立ち上がる内側部と、前記碍子部を挿通させる穴部を有して前記碍子ベース部の上面を押さえる上面部と、前記上面部の端部から垂下した外側部とを備え、前記上面部は、前記内側部と前記上面部の境界となる内角部および前記外側部と前記上面部の境界となる外角部よりも、前記上面部の略中心付近が高くなる湾曲形状とした。
【０００６】
また、前記内側部と前記上面部の境界となる内角部の高さ位置が、前記外側部と前記上面部の境界となる外角部の高さ位置よりも高くなるように前記上面部を形成した。
【０００７】
また、前記固定部の下面から前記外角部内面の垂直距離を、前記碍子ベース部の高さ距離よりも小さくした。
【０００８】
また、前記電極は隣接して二つ設けられ、前記電極固定金具は、前記固定部の両端のそれぞれに前記電極押さえ部が設けられ、一つの電極固定金具で前記二つの電極を燃焼装置に固定するようにした。
【発明の効果】
【０００９】
本発明によれば、碍子の寸法のバラツキがあっても、過不足なく適切な強度で、電極が傾くことなく正しい姿勢で固定することができる。
【図面の簡単な説明】
【００１０】
【図１】本発明の一実施形態の燃焼装置の断面図
【図２】同一実施形態の電極と電極固定金具の斜視図
【図３】同一実施形態の電極固定金具の上面図および正面図
【図４】同一実施形態の固定状態での要部断面図
【発明を実施するための形態】
【００１１】
次に、本発明の一実施形態を図面に基づいて説明する。
図１は本発明の一実施形態の燃焼装置の断面図で、１は燃油を気化する気化器、２は気化器１の上部に設けられ、側面に多数の炎孔３を有した有蓋円筒形状のバーナヘッド、４は燃焼火炎の熱を気化器１に回収する円筒形状の熱回収リング、５は気化器１に燃油を供給する燃油ノズル、６は気化器１に図示しない燃焼ファンからの燃焼空気を供給する空気ノズル、７は気化器１を加熱する電熱ヒータ、８は基板、９は点火用スパークを飛ばす点火電極、１０は燃焼火炎の炎電流を検出する炎検知電極（図２参照）、１１は点火電極９および炎検知電極１０を基板８に固定する電極固定金具である。
【００１２】
図２は、点火電極９および炎検知電極１０と電極固定金具１１の斜視図で、点火電極９および炎検知電極１０は隣接して配置され、絶縁体としての碍子１２を介して一つの電極固定金具１１により基板８に固定されている。
【００１３】
点火電極９は、下面が基板８と接する直方体形状の碍子ベース部１２ａと、碍子ベース部１２ａから上に突出した円柱形状の碍子部１２ｂと、碍子部１２ｂから突出したスパークロッド１３とを有して構成され、スパークロッド１３は、碍子部１２ｂから立ち上がった後にバーナヘッド２の中心に向けて下斜め方向に折り曲げられ、先端が炎孔３に近接するように配置されている。
【００１４】
炎検知電極１０は、下面が基板８と接する直方体形状の碍子ベース部１２ａと、碍子ベース部１２ａから上に突出した円柱形状の碍子部１２ｂと、碍子部１２ｂから突出したフレームロッド１４とを有して構成され、フレームロッド１３は、碍子部１２ｂから立ち上がった後にバーナヘッド２の中心に向けて下斜め方向に折り曲げられ、先端がバーナヘッド２と熱回収リング４の間で複数の炎孔３の炎に触れるように横方向に折り曲げられている。
【００１５】
電極固定金具１１は、ステンレス製の板状部材を曲げ加工したもので、燃焼装置の基板８にネジ止め固定される長方形の板状の固定部１５と、固定部１５の両側の端部に設けられ、碍子ベース部１２ａを上から押さえる電極押さえ部１６とを有して構成されている。
【００１６】
固定部１５は、その中心にネジ穴１５ａが開口されていると共に、長手方向の一側面を上側に折り返した折り返し部１５ｂが形成され、固定部１５の強度を向上させている。
【００１７】
電極押さえ部１６は、固定部１５の端部から立ち上がる内側部１７と、内側部１７の上端から略水平方向に設けられ碍子部１２ｂを挿通させる穴部１８を有して碍子ベース部１２ａの上面を押さえる上面部１９と、上面部１９の端部から固定部１５の上面高さよりも高い位置まで垂下した外側部２０とを備えている。
【００１８】
穴部１８は、円柱形状の碍子部１２ｂの外径よりわずかに大きい内径を有した穴１８ａと、各ロッド１３、１４を通過させる切り欠き１８ｂとで構成され、切り欠き１８ｂの開口方向は、各ロッド１３、１４の向きと一致させている。
【００１９】
上面部１９は、内側部１７と上面部１９の境界となる内角部２１および外側部２０と上面部１９の境界となる外角部２２よりも、上面部１９の略中心付近が高くなる湾曲形状としている。ここでは、上面部１９のうち、穴部１８によって幅狭になった狭小部２３が稜線２４を有するように山型に曲げられて上面部１９を湾曲形状としている。
【００２０】
また、内角部２１の高さ位置は、外角部２２の高さ位置よりも板厚の半分程度高くなるように上面部１９が形成されていると共に、固定部１５の下面から外角部２２内面の垂直距離Ａは、碍子ベース部１２ａの高さ距離よりも固定部１５の板厚程度小さくされている。
【００２１】
次に、この電極固定金具１１の作用について、図４に示す固定状態での要部断面図を用いて説明する。
【００２２】
基板８に隣り合って開口された碍子取り付け穴に、点火電極９および炎検知電極１０の碍子ベース部１２ａより下部分を差し込み、電極固定金具１１の切り欠き１８ｂの方向とスパークロッド１３およびフレームロッド１４の方向を合わせて、上から電極固定金具１１を落とし入れるようにして、電極固定金具１１が所定の固定位置に配置される。
【００２３】
このとき、電極固定金具１１の両端の電極押さえ部１６の外角部２２の内面のみが点火電極９および炎検知電極１０の碍子ベース部１２ａに接し、電極押さえ部１６の内角部２１は碍子ベース部１２ａから浮いた状態となる。
【００２４】
固定部１５のネジ穴１５ａを介して基板８のネジ穴にネジ２５を締め付けていくと、固定部１５が基板８に近接していくと共に、電極押さえ部１６の内角部２１が碍子ベース部１２ａに接し、外角部２２は湾曲形状の狭小部２３のバネ性によって適度な力で碍子ベース部１２ａを下方向へ押しつけることとなる。
【００２５】
さらにネジ２５を締め付けて行くと、固定部１５の中央付近が基板８に接し、固定部１５の両端付近で基板８から少し浮く形状に弾性変形し、電極押さえ部１６の内角部２１と外角部２２の２辺で碍子ベース部１２ａを基板８へ押しつけるようにして電極を固定する。
【００２６】
このとき、内角部２１は、固定部１５の弾性変形と、内側部１７と上面部１９の弾性変形によって、一定の押圧力に規制され、外角部２２は、内側部１７と上面部１９の弾性変形と、上面部１９の狭小部２３の湾曲形状の弾性変形によって、一定の押圧力に規制される。
【００２７】
また、固定部１５の一側に折り返し部１５ｂが設けられていると共に、上面部１９の同じ一側に湾曲形状の狭小部２３が設けられていることで、一側が他側に比べて弾性が強く、碍子ベース部１２ａは、主として一側によって固定される。
【００２８】
このように本発明の電極固定金具１１によれば、電極の碍子ベース部１２ａの上面の下面の平行度が悪かったり、碍子ベース部１２ａの高さ寸法がばらついたり、点火電極９と炎検知電極１０の碍子ベース部１２ａの高さ寸法が異なっていたりしても、ネジ２５を固定部１５の下面が基板８に当接するまで締め付けるだけで、碍子ベース部１２ａを過不足なく適切な強度で基板８に固定でき、電極のロッドが傾くことなく正しい姿勢で固定することができる。
【００２９】
また、電極固定金具１１は弾性の範囲内で変形させるような寸法としているため、点火電極９や炎検知電極１０の点検・交換の際に、電極の交換によって碍子ベース部１２ａの高さ寸法が変わったとしても、一度外した電極固定金具１１を再利用しても、碍子ベース部１２ａを過不足なく適切な強度で基板８に固定でき、電極のロッドが傾くことなく正しい姿勢で固定することができる。
【００３０】
また、碍子ベース部１２ａの寸法公差の許容幅を広げることができ、燃焼装置全体のコストを低減し、生産性を向上することができる。
【符号の説明】
【００３１】
８  基板
９  点火電極
１０  炎検知電極
１１  電極固定金具
１２  碍子
１２ａ  碍子ベース部
１２ｂ  碍子部
１３  スパークロッド
１４  フレームロッド
１５  固定部
１６  電極押さえ部
１７  内側部
１８  穴部
１９  上面部
２０  外側部
２１  内角部
２２  外角部
【図１】
2018004204.tif 000003
【図２】
2018004204.tif 000004
【図３】
2018004204.tif 000005
【図４】
2018004204.tif 000006